【手続補正書】
【提出日】平成17年7月6日(2005.7.6)
【手続補正１】
【補正対象書類名】明細書
【補正対象項目名】特許請求の範囲
【補正方法】変更
【補正の内容】
【特許請求の範囲】
【請求項１】
利用者に関する介護結果を入力する入力手段と、
利用者を特定する情報を記憶する利用者特定情報ファイルと、
前記介護結果のうち、健康状態に関連する情報と前記入力手段から入力された健康状態に関するデータが正常か否かを判断するための判定基準を記憶する健康状態関連情報ファイルと、
この健康状態関連情報ファイルに記憶された判定基準に基づき、前記入力手段から入力された健康状態に関するデータが正常値か否かを判断する健康状態判定手段と
を備えた福祉支援システム。
【請求項２】
利用者を特定する情報を記憶する利用者特定情報ファイルと、
少なくとも利用者の居住地に基づき割り当てた地区コードを記億する利用者住居関連情報ファイルと、
少なくとも利用者の介護レベルを記憶する介護レベル関連ファイルと、
前記利用者住居関連情報ファイルの地区コードと前記介護レベル関連ファイルに記憶された利用者の介護レベルに基づき、地区毎の各介護レベルの利用者の分布を求める利用者分布演算手段と、
この利用者演算手段で求められた分布の割合に基づき、各地区に割り当てる訪問者数を決定する訪問者割当て手段と
を備えた福祉支援システム。
【手続補正２】
【補正対象書類名】明細書
【補正対象項目名】００１３
【補正方法】変更
【補正の内容】
【００１３】
本発明はこのような事情に鑑みてなされたものであり、本発明の目的は、訪問者が所有する訪問者装置からの介護内容の入力に基づき介護レベルを判定、更新することにより、利用者に対する適性な介護サービスを提供できる福祉支援システムを提供することである。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
また、別の目的は、利用者の健康状態の判定を利用者自身の過去の状態との比較により判定することにより、より正確な健康状態管理を行うことができる福祉支援システムを提供することである。
【手続補正６】
【補正対象書類名】明細書
【補正対象項目名】００１７
【補正方法】変更
【補正の内容】
【００１７】
さらに、別の目的は、訪問者の配置を利用者の介護レベルも考慮して決定することにより、訪問者の負荷低減および利用者に対する十分な介護サービスを提供できる福祉支援システムを提供することである。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】変更
【補正の内容】
【００３６】
【課題を解決するための手段】
上記課題を解消するために、本発明の福祉支援システムにおいては、利用者に関する介護結果を入力する入力手段と、利用者を特定する情報を記憶する利用者特定情報ファイルと、介護結果のうち、健康状態に関連する情報と入力手段から入力された健康状態に関するデータが正常か否かを判断するための判定基準を記憶する健康状態関連情報ファイルと、この健康状態関連情報ファイルに記憶された判定基準に基づき、入力手段から入力された健康状態に関するデータが正常値か否かを判断する健康状態判定手段とを備えている。
【手続補正２６】
【補正対象書類名】明細書
【補正対象項目名】００３７
【補正方法】変更
【補正の内容】
【００３７】
さらに、別の発明の福祉支援システムは、利用者を特定する情報を記憶する利用者特定情報ファイルと、少なくとも利用者の居住地に基づき割り当てた地区コードを記億する利用者住居関連情報ファイルと、少なくとも利用者の介護レベルを記憶する介護レベル関連ファイルと、利用者住居関連情報ファイルの地区コードと前記介護レベル関連ファイルに記憶された利用者の介護レベルに基づき、地区毎の各介護レベルの利用者の分布を求める利用者分布演算手段と、この利用者演算手段で求められた分布の割合に基づき、各地区に割り当てる訪問者数を決定する訪問者割当て手段とを備えている。
【手続補正２７】
【補正対象書類名】明細書
【補正対象項目名】００３８
【補正方法】変更
【補正の内容】
【００３８】
このように構成された各発明の福祉支援システムにおいては、それぞれ、介護レペルの自動更新、健康状態の自動判定、訪問者割当て自動決定が実施される。よって、該当利用者に対する訪問看護を行う訪問者は事前にその最新の事情を把握できるので、より一層きめ細かい介護サービスを提供できる。
【手続補正２８】
【補正対象書類名】明細書
【補正対象項目名】０１０９
【補正方法】変更
【補正の内容】
【０１０９】
【発明の効果】
以上説明したように、本発明の福祉支援システムにおいては、この福祉支援システムの利用者に対してより一層いき届いた介護サービスを提供でき、かつ少ない訪問者を効率的に活用できる。
【手続補正２９】
【補正対象書類名】明細書
【補正対象項目名】０１１０
【補正方法】削除
【補正の内容】
【手続補正３０】
【補正対象書類名】明細書
【補正対象項目名】０１１１
【補正方法】削除
【補正の内容】